(57)【要約】      （修正有）【課題】摩耗および汚染問題に左右されることなく、低エネルギー消費を保証しつつ、糸を迅速に、精確に、かつ安定してガイドすることができるデバイスを提供する。【解決手段】生地上に少なくとも一本の糸を加えるための、衛生用品を製造するための装置のガイドデバイスであって、直線方向に移動可能で、糸１１をガイドする第１の本体１３と、第１の本体に対して固定される少なくとも１つの第２の本体１４とを備える。またガイドデバイスは、磁力を用いて第１の本体を第２の本体から離間させるとともに、第１の本体と第２の本体との間の汚染物質のアクセスおよび／または堆積を妨げるように空気を分配する少なくとも１つの空気ディスペンサを備えるスペーサアセンブリ１６と、別の磁力を用いて第１の本体を直線方向に移動させるために第１の本体と第２の本体とに関連付けられる磁性移動アセンブリ１５とを備える。【選択図】図１
0003222684.tif 000002
【実用新案登録請求の範囲】
【請求項１】
衛生用品の製造を意図された生地上に少なくとも一本の糸を加えるための、前記衛生用品を製造するための装置のガイドデバイスであって、
直線方向に沿って移動可能であり、前記糸をガイドするよう構成される第１の本体と、
前記第１の本体に対して固定される少なくとも１つの第２の本体と
を備え、
前記ガイドデバイスは、磁力を用いて前記第１の本体を前記少なくとも１つの第２の本体から離間させるよう構成されるスペーサアセンブリであって、前記第１の本体と、前記少なくとも１つの第２の本体との間の汚染物質のアクセスおよび／または堆積を妨げるように空気を分配するよう構成される少なくとも１つの空気ディスペンサを備えるスペーサアセンブリと、
前記第１の本体と、別の磁力を用いて前記第１の本体を前記直線方向に沿って移動させるための前記少なくとも１つの第２の本体とに関連付けられる磁性移動アセンブリと
を備える、
デバイス。
【請求項２】
前記スペーサアセンブリは、前記少なくとも１つの第２の本体から前記第１の本体を局所的に離隔させるために、それぞれの磁力をそれぞれが生成するよう構成される複数の磁性スペーサ要素を有する、請求項１に記載のデバイス。
【請求項３】
前記複数の磁性スペーサ要素は、前記磁性移動アセンブリの複数の側面に配置される、請求項２に記載のデバイス。
【請求項４】
前記磁性移動アセンブリは、複数の磁石と、前記別の磁力を用いて前記第１の本体を前記直線方向に沿って移動させるために、前記複数の磁石の少なくとも一部と使用時に協働するための、可変な磁場を生成するための手段とを含む、請求項１から３の何れか一項に記載のデバイス。
【請求項５】
前記複数の磁石は、前記第１の本体上に配置され、前記可変な磁場を生成するための前記手段は、前記少なくとも１つの第２の本体上に配置される、請求項４に記載のデバイス。
【請求項６】
前記第１の本体を間に挟む少なくとも２つの第２の本体を備える、請求項１から５の何れか一項に記載のデバイス。
【請求項７】
前記第１の本体および前記第２の本体のそれぞれの、直線方向に沿う長さの比率が１より大きい、請求項１から６の何れか一項に記載のデバイス。
【考案の詳細な説明】
【技術分野】
【０００１】
本考案の実施形態は、例えば、おむつ、パンツタイプおむつ、失禁用パッド、生理用ナプキン、または体液を吸収するために設計された他の物品などの衛生用品の製造を意図された生地上に糸を加えるための、これらの衛生用品を製造するための装置のガイドデバイスに関する。
【０００２】
本考案の実施形態は、例えば、連続ウェブ材料、連続複合シート、または分離した構成要素などの生地上に弾性糸を加えるよう構成される、衛生用品を製造するための装置のガイドデバイスに関する。
【背景技術】
【０００３】
製造される特定の物品および実現される所望の摩耗性に関係して、例えば、弾性糸を非弾性材料の間に織り込むことによって、伸縮性を有することができる、非弾性材料により製造される複数の衛生用品が存在する。
【０００４】
弾性糸をおむつに加える典型的な例が、ウエストバンドまたは足のコンテインメントバリア（ｃｏｎｔａｉｎｍｅｎｔ  ｂａｒｒｉｅｒ）の例であり、これらの弾性糸を用いて生成されるひだ状領域が、材料に対してある程度の伸張性を提供する。
【０００５】
例えば、不織布のような非弾性材料の２つのシートの間に予め引っ張られた弾性糸の織り込みは、弾性糸を織り込みのパターンに沿って局所的に拘束するように、シートを互いに、および／または引っ張られた弾性糸をシートに、局所的に固定させることで既知である。
【０００６】
物品の特定のエリアに提供される特定の織り込みパターンおよび弾性作用に関係して、弾性糸は、生地上に当該弾性糸を加える間に供給速度を調整する特定の経路に沿ってガイドされる。
【０００７】
いくつのガイドデバイスは、実現される特定の織り込みパターンに関係して、直線方向を画定するリニアガイドと、リニアガイド上で移動するよう構成される糸搬送ツールを有するキャリッジとを備える。
【０００８】
キャリッジのリニアガイド上の移動中、キャリッジは、キャリッジの車輪またはボール、およびリニアガイドの表面の両方を著しく摩耗する方向を複数回変更させ、頻繁なメンテナンスおよび／または潤滑を必要とする。
【０００９】
キャリッジのボールおよびリニアガイドの表面の摩耗に起因して、糸は概して、不正確に生地に供給され、結果となる衛生用品を、要求される仕様に準拠しなくなるようにさせてしまう。
【００１０】
出願人は、キャリッジとリニアガイドとの間の間隙を画定する空気クッションを生成する空気静力学的靴の使用を想定する解決策を実験して開発した。これらの解決策は、汚染および関連問題において有利であるが、しかしながら、それらは、エネルギーの観点から高価であり、専用の空気供給および管理システムを必要とする。
【００１１】
摩耗に関する問題を克服できると同時に、空気静力学的靴の使用つなぐ問題を克服することを可能にする解決策を提供する必要性が生じている。
【００１２】
複数の既知の解決策が、本考案と著しく異なる分野において開発されており、それらが研究されている通り、およびそれらが達成できる性能上、衛生用品を製造するための装置に用いられることができない。
【００１３】
文書ＥＰ−Ａ−１．１４８．０１６（ＥＰ'０１６）には、糸をリールに巻き取るための装置であって、磁気ガイド上を移動可能なキャリッジを備え、速度が２ｍ／ｓから６ｍ／ｓに達するよう構成される装置が記載されている。
【００１４】
文書ＥＰ'０１６には、移動可能なキャリッジの方向を変更させる問題が記載されて取り組まれ、特に、反転中に移動可能なキャリッジの速度を制御するよう構成される制御部の使用が提案される。
【００１５】
リール巻き取りシステムは、不正確に重なった場合、リールを不均一にさせ得るという、連続回転における巻き取りに主に関連する問題を呈していることが知られている。
【００１６】
糸をリールに巻き取るための装置は、移動可能なキャリッジが、限られている長さの、固定されて離間された２つの端部位置の間で直線方向に沿って繰り返される移動を実行できることを想定する。
【００１７】
衛生用品を製造するための装置の分野において、糸をガイドするデバイスは、異なる形態の衛生用品を製造するために、様々で異なる織り込みパターンを迅速に生成するように糸を搬送しなければならないことが知られている。
【００１８】
衛生用品の分野において、移動可能なキャリッジは、３０センチよりも大きい直線ストロークで、かつ、リールを製造するための装置の分野の速度および加速度より大きくない場合はそれらに等しい速度と加速度で、移動されることが要求されている。
【００１９】
文書ＤＥ−Ａ−１０．２０１３．２２５６５３（ＤＥ'６５３）には、磁性線に結合される移動可能なキャリッジを含むリールに糸を巻き取るための装置が記載されている。
【００２０】
移動可能なキャリッジは、移動可能なキャリッジ上に配置される複数の永久磁石と磁性線自体との間の相互作用により得られる永久磁場を用いて磁性線から離間されるように維持される。
【００２１】
この既知の解決策は、移動可能なキャリッジが、糸の位置に関係して長手方向延伸に沿って受動的に移動できることを想定する。
【００２２】
ＤＥ'６５３に記載されている装置はまた、磁性線の端部に配置され、移動可能なキャリッジに配向されている空気静力学的ブレーキを備える。これらの空気静力学的ブレーキは、キャリッジが端部に達するとき、端部にぶつからないように移動可能なキャリッジの速度を落とすよう構成される。
【００２３】
ＤＥ'６５３には、空気静力学的ブレーキからの圧縮された空気噴流の押し出す作用下で磁性線に沿って移動できる移動可能なキャリッジを移動させる手段として空気静力学的ブレーキを用いる可能性も記載されている。
【００２４】
この既知の解決策は、移動可能なキャリッジを正確に制御することが可能ではなく、さらに、衛生用品の分野において要求される速度で、シート間の糸の様々で異なる織り込みパターンを得るように、移動可能なキャリッジを移動することが可能ではないという大きな問題を呈する。
【００２５】
文書ＷＯ−Ａ−００／２４６６３（ＷＯ'６６３）には、接続されるピンにより画定される回転軸の周りを回転する糸を供給するよう構成される回転要素を有するリールに向かって糸を搬送するためのシステムが記載されている。
【００２６】
ＷＯ'６６３の回転要素は、平面から離間されるように配置され、磁性移動アセンブリを用いることによって移動される。回転要素には誘導回路が設けられ、電力を供給されたとき、平面上に設置された磁石により生成される磁場と結合する。
【００２７】
すでに説明されている先行技術の問題に加えて、この既知の解決策はさらに、リールに向かう糸をガイドする端部が、曲線経路に続き、回転要素が平面から離間された場合であっても、糸の方向およびその弾性に関係して、端部は平面に向かって曲がり得るという問題を有する。
【００２８】
さらに、この最後の既知の解決策は、衛生用品を製造するための装置の分野において要求される性能を満たすことができないことから、衛生用品を製造するための装置に用いられることができない。
【００２９】
衛生用品を製造するための装置の分野の専門家が立ち向かわなければならない問題、特に、糸ガイドの高速移動に関する問題、ならびに、２つのシート間の糸を織り込む様々で異なるパターンを生成する可能性に関する問題はいずれも、既知の解決策により記載されたり、取り組まれたりしていない。
【００３０】
既知の解決策は、３０センチよりも大きいストロークで、全速力で２３０ｍ／ｓ２よりも高い加速度で１０ｍ／ｓまでの速度を必要とする衛生用品を製造するための装置に用いられることができない。
【００３１】
これらの既知の解決策は、（シート間で糸を織り込む所望のパターンで）弾性糸が間で巻き取られるシートを有する衛生用品を迅速に製造することができず、所望の織り込みパターンに沿った糸の配置誤差が、５ｍｍを超過しない。
【００３２】
したがって、先行技術の欠点のうち少なくとも１つを克服する、衛生用品の製造を意図された生地上に糸を加えるための、これらの衛生用品を製造するための装置を可能にするガイドデバイスを改善して生成するという必要性がある。
【００３３】
本考案の１つの目的は、摩耗に関連する問題を克服することができ、頻繁なメンテナンスおよび潤滑を必要とせず、それと同時に、再現可能、かつ正確な方式で糸を生地上に供給することを可能にするガイドデバイスを提供することである。
【００３４】
本考案の別の目的は、安定し、制御され、かつ、高速の方式で、糸を供給することができるガイドデバイスを提供することである。
【００３５】
本考案の別の目的は、空気静力学的靴に関する問題を克服することができ、それと同時に、エネルギー消費の低減を可能にし、摩耗に関する問題を克服するガイドデバイスを提供することである。
【００３６】
本出願人は、先行技術の欠点を克服し、これらのおよび追加の目的、ならびに利点を得るために、本考案を考案し、テストし、具現化した。
【考案の概要】
【００３７】
本考案は、独立項により記述されて特徴付けられる一方、従属項により、本考案の他の特性または主な解決策のアイデアの変形が提示される。
【００３８】
上記の目的によれば、本考案は、衛生用品の製造を意図された生地上に少なくとも一本の糸を加えるための、これらの衛生用品を製造するための装置のガイドデバイスに関し、当該デバイスは、直線方向に沿って移動可能で、糸をガイドするよう構成される第１の本体と、第１の本体に対して固定される少なくとも１つの第２の本体とを備える。例えば、生地は、連続ウェブ、または他の材料を含んでよい。
【００３９】
本考案の一態様によれば、ガイドデバイスは、磁力を用いて第１の本体を少なくとも１つの第２の本体から離間させるよう構成されるスペーサアセンブリと、別の磁力により直線方向に沿って第１の本体を移動させるように、第１の本体と、少なくとも１つの第２の本体とに関連付けられる磁性移動アセンブリとを備える。
【００４０】
スペーサアセンブリは、第１の本体と少なくとも１つの第２の本体との間の汚染物質のアクセスおよび／または堆積を妨げるように空気を送るよう構成される少なくとも１つの空気ディスペンサを含む。
【００４１】
可能な実施形態によれば、スペーサアセンブリの作用のお陰で、間隙が第１の本体と少なくとも１つの第２の本体との間に形成され、それらに関連付けられる任意の要素も考慮する。
【００４２】
スペーサアセンブリの存在のお陰で、空気静力学的靴を用いる必要がなくなり、したがって、専用の空気供給および管理システムが要求されないので、相当なエネルギー節約が存在する。
【００４３】
本解決策はまた、圧縮機および／または空気フィルタの存在を想定せず、使用する間にいかなる空気供給も提供しないので、空気静力学的靴を用いる他の解決策に対してコンパクト、かつ静音であるという利点を有する。
【００４４】
２つの専用磁場を生成する可能性のお陰で、本体を離隔するため、かつ、それらを相互に移動するために、それぞれ、システムの単純化を可能にし、配置および移動が正確、安定、かつ再現可能となるようにする。
【００４５】
可能な実施形態によれば、スペーサアセンブリは、少なくとも１つの第２の本体から第１の本体を局所的に離隔させるために、それぞれの磁力をそれぞれが生成するよう構成される複数の磁性スペーサ要素を含んでよい。
【００４６】
可能な実施形態によれば、磁性スペーサ要素は、磁性移動アセンブリの側面に配置されることができ、これにより、磁性スペーサ要素により生成される磁場は、磁性移動アセンブリにより生成される磁場の作用を妨げない。
【００４７】
可能な実施形態によれば、スペーサアセンブリは、間隙における汚染物質のアクセスおよび／または堆積を妨げるように空気を送るよう構成される少なくとも１つの空気ディスペンサを含んでよい。
【００４８】
可能な実施形態によれば、磁気駆動アセンブリは、複数の磁石と、第１の本体を直線方向に沿って移動させるために、磁石の少なくとも一部と使用時に協働するための可変な磁場を生成するための手段とを含んでよい。
【００４９】
可能な実施形態によれば、複数のの磁石は、第１の本体上に配置されることができ、可変な磁場を生成するための手段は、少なくとも１つの第２の本体上に配置されることができる。
【００５０】
可能な実施形態によれば、ガイドデバイスは、第１の本体を間に挟む少なくとも２つの第２の本体を備えてよい。
【００５１】
可能な実施形態によれば、第１の本体および第２の本体のそれぞれの、直線方向に沿う長さの比率が、１より大きいものとすることができる。
【００５２】
可能な実施形態と一致して、ガイドデバイスは、第１の本体に接続され、糸を搬送するようにツールを接続するよう構成される支持部材を備えてよく、支持部材は、少なくとも部分的に、少なくとも１つの第２の本体から出て延伸する。
【図面の簡単な説明】
【００５３】
本考案のこれらのおよび他の特性は、添付の図面を参照して、非限定的な例として、実施形態の以下の説明によって明らかとなる。
【図１】本考案の可能な実施形態に係る衛生用品を製造するための装置のガイドデバイスの斜視図である。
【図２ａ】本考案の可能な実施形態に係る衛生用品を製造するための装置のガイドデバイスの側面図である。
【図２ｂ】本考案の可能な実施形態に係る衛生用品を製造するための装置のガイドデバイスの側面図である。
【図３】図１の分解図である。
【図４】本考案の可能な実施形態に係る衛生用品を製造するための装置のガイドデバイスの概略斜視図である。
【図５】本考案の可能な実施形態に係る衛生用品を製造するための装置のガイドデバイスの斜視図である。
【００５４】
容易に理解するために、同一参照番号が用いられ、図面の同一の共通要素を識別することを可能にする。実施形態の要素および特性は、さらに特定することなく、他の実施形態に便宜的に組み込まれることができることが理解されるべきである。
【考案を実施するための形態】
【００５５】
ここで図面を参照して説明される実施形態は、衛生用品の製造を意図された生地１２上に少なくとも一本の糸１１を加えるための、これらの衛生用品を製造するための装置のガイドデバイス１０を指す。
【００５６】
以下では、非限定的な例として、単一の弾性糸１１、および少なくとも１つの不織布材料を含む生地１２を参照する。
【００５７】
生地１２は、連続ウェブ、分離した要素、または衛生用品の別の構成要素であり得る。例えば、ガイドデバイス１０は、可撓性はあるが伸縮性がない布の２つの生地１２の間に弾性糸１１を加え、当該複合布を伸縮性のあるものにするように、それらの間に弾性糸を織り込むことを可能にする。
【００５８】
可能な実施形態によれば、ガイドデバイス１０は、直線方向Ｘに沿って移動可能で、糸１１をガイドするよう構成される第１の本体１３と、第１の本体１３に対して固定される少なくとも１つの第２の本体１４とを備える。
【００５９】
可能な実施形態によれば、第１の本体１３は、供給される糸１１を搬送するよう構成され、糸１１は、第１の本体１３自体を移動させることによって生地１２に向かってガイドされる。
【００６０】
本考案の一態様によれば、ガイドデバイス１０は、磁力を用いて少なくとも１つの第２の本体１４から第１の本体１３を離間させるよう構成されるスペーサアセンブリ１６と、別の磁力を用いて第１の本体１３を直線方向Ｘに沿って移動させるために、第１の本体１３と、少なくとも１つの第２の本体１４とに関連付けられる磁性移動アセンブリ１５とを備える。当該別の磁力は、それぞれの可変な磁場によって生成されることができる。
【００６１】
可能な実施形態によれば、スペーサアセンブリ１６の作用のお陰で、間隙１７が第１の本体１３と少なくとも１つの第２の本体１４との間に形成され、それらに関連付けられる任意の要素も考慮する。
【００６２】
以下で明らかとなるように、かつ、図面から分かるように、例えば、第１の本体１３および／または少なくとも１つの第２の本体１４に関連付けられる可能な要素は、磁石１８、可変な磁場を生成するための手段１９、磁性スペーサ要素３１、１３１、または他の要素を含んでよい。
【００６３】
可能な実施形態によれば、間隙１７の最小幅が、１μｍと２０μｍとの間であり得る。可能な実施形態によれば、間隙１７の最小幅は、５μｍと１５μｍとの間であり得る。
【００６４】
可能な実施形態によれば、磁気駆動アセンブリ１５は、複数の磁石１８と、第１の本体１３を直線方向Ｘに沿って移動させるために、磁石１８の少なくとも一部と使用時に協働するように可変な磁場を生成するための手段１９とを含んでよい。
【００６５】
本実施形態は、磁石１８が可変な磁場を生成するよう構成されるか、またはそれらが電磁石である場合、磁石１８も直接介入する必要がなく、可変な磁場を生成するための手段１９によって第１の本体１３の移動を制御することを可能にする。
【００６６】
このことは、構成要素に対する制御およびメンテナンスの操作を大いに簡略化し、可変な磁場を生成するための手段１９だけに対して任意の予備部品を基本的に限定する。
【００６７】
可能な実施形態によれば、磁性移動アセンブリは、第１の本体１３上に配置される複数の磁石１８と、少なくとも１つの第２の本体１４上に配置される、可変な磁場を生成するための手段１９とを含んでよい。
【００６８】
可能な実施形態によれば、ガイドデバイス１０は、少なくとも１つの管理および制御部３３であって、管理および制御部３３により手段１９へ送信される制御信号を用いて、手段１９により生成される可変な磁場を調節するよう構成される少なくとも１つの管理および制御部３３を備えてよい。
【００６９】
管理および制御部３３のお陰で、ガイドデバイス１０を可撓性のあるものにすることが可能であり、言い換えれば、具体的な製造要求に従って第１の本体１３を移動させることができる。このことは、糸１１の織り込みパターンが生地１２に形成されることを可能にし、したがって、様々で異なるタイプの衛生用品を製造することができる。
【００７０】
所望の方式で可変な磁場を調節することによって、第１の本体１３は、製造される衛生用品に関係して、様々な移動を実行する。
【００７１】
本態様のお陰で、製造される衛生用品のタイプごとにガイドデバイス１０を完全に交換することは、もはや必要がなくなる。
【００７２】
さらに、糸１１を供給する間に第１の本体１３の移動を修正することもできるという可能性は、糸１１の弾性と第１の本体１３の直線方向Ｘに沿う瞬時位置とに関係して、糸１１を引っ張ることを管理することが可能である。
【００７３】
可能な実施形態によれば、リアルタイムで、第１の本体１３の移動を修正して、糸１１を引っ張る効果を補償するべく可変な磁場を調節することは、生地１２上に糸１１を加えるポイントに対して直線方向Ｘが画定されたとたん、決定されることができる。
【００７４】
可能な実施形態によれば、磁石１８は、例えば、鉄を含む磁石、または他の磁性要素などの永久磁石であり得る。例えば、磁石１８は、ネオジム、鉄、およびホウ素を含んでよく、組み合わせられたとき、高エネルギー密度および動作温度を示す。
【００７５】
可能な実施形態によれば、可変な磁場を生成するための手段１９は、供給される電流に関係して、可変な磁場の生成を可能にする強磁性コアにおそらく結合される１または複数のリールを含んでよい。
【００７６】
これらのリールは、その都度、所望の強度の分布および方向を有する磁場を生成するように空間的に配置されることができる。
【００７７】
可能な実施形態によれば、可変な磁場を生成するための手段１９は、磁気アクチュエータであり得る。
【００７８】
手段１９により生成される可変な磁場の仕様および手段に対する磁石１８の相対位置に関係して、第１の本体１３は、直線方向Ｘに沿って移動される。
【００７９】
可能な実施形態によれば、複数の磁石１８は、第１の本体１３上に配置されることができ、可変な磁場を生成するための手段１９は、少なくとも１つの第２の本体１４上に配置されることができる。
【００８０】
本態様は、さらなる要素への接続を必要としない磁石１８が移動可能な第１の本体１３上に配置される一方、電力供給源に接続される必要がある手段１９を、固定される少なくとも１つの第２の本体１４上に配置することを可能にする。
【００８１】
このことは、移動可能な本体１３が、軽く、かつ、例えば、電力供給源への接続などの、アセンブリおよび使用を複雑にしてしまう追加のかさばりまたは阻止要素を有さないことを可能にする。
【００８２】
可能な実施形態によれば、磁石１８は、直線方向Ｘに沿って延伸する第１の本体１３の延伸に沿って連続して配置されることができる。
【００８３】
可能な実施形態によれば、可変な磁場を生成するための手段１９は、少なくとも１つの第２の本体１４上に配置されることができ、これにより、それらは複数の磁石１８に面する。
【００８４】
可変な磁場を生成するための手段１９を、固定される少なくとも１つの第２の本体１４上に配置することによって、手段１９に供給する電力源への接続をサイズ調整および配置することを可能にし、これにより、それらは安定し、第１の本体１３の移動を妨げない。本態様は、ガイドデバイス１０に対する任意のメンテナンス操作を簡略化する。
【００８５】
可能な実施形態によれば、第１の本体１３は、長辺２０および短辺２１により画定されるＬ字型断面を有する賦形バーであり得る。
【００８６】
以下の説明で後ほど明らかとなるように、第１の本体１３のこの構造は、第１の本体の位置を、直線方向Ｘに対して垂直な両方向に沿って少なくとも１つの第２の本体１４に対して安定化させることを可能にする。
【００８７】
可能な実施形態によれば、磁石１８は、賦形バーの長辺２０上に配置されることができる。例えば、磁石１８は、直線方向Ｘに沿って延伸する長辺２０の中央エリアに配置されることができる。
【００８８】
この方法では、短辺２１は、磁石１８に対する手段１９の作用による影響を受けず、糸搬送ツールに接続されるために有利に用いられることができ、以下では、支持部材２４とも称される。
【００８９】
第１の本体１３、少なくとも１つの第２の本体１４、または他のものを損傷および／または変形させるリスクを負うことなく、磁石１８および手段１９の動作制限内で温度を抑えるために、ガイドデバイス１０は、磁石１８および／または手段１９により生成される熱から、第１の本体１３および少なくとも１つの第２の本体１４を断熱するように、磁石１８、および／または可変な磁場を生成するための手段１９に関連付けられる１または複数の絶縁要素２２を備えてよい。
【００９０】
例えば、絶縁要素２２は、エポキシガラスまたは他の熱絶縁材料を含んでよい。図１を参照すると、絶縁要素２２は、直線方向Ｘに沿って磁石１８と第１の本体１３との間に、および／または手段１９と第２の本体１４との間にも配置されることができる。
【００９１】
可能な実施形態によれば、ガイドデバイス１０は、冷却流体を用いて、少なくとも第１の本体１３を冷却するよう構成される冷却部２３を備えてよい。
【００９２】
可能な実施形態によれば、ガイドデバイス１０は、冷却流体を用いて、少なくとも第２の本体１４を冷却するよう構成される冷却部２３を備えてよい。
【００９３】
可能な実施形態によれば、冷却部２３は、第２の本体１４と一体化され、または第２の本体１４に結合され、冷却流体を供給する冷却源に流体的に連通される冷却ダクトを備えてよい。
【００９４】
さらに動作値内の温度を維持し、一定の空気循環を保証するために、冷却部２３は、直線方向Ｘに沿って空気を循環させるよう構成される１または複数のファンを備えてよい。
【００９５】
可能な実施形態によれば、ファンは、直線方向Ｘに沿って循環して支持部材２４が突出する開口部を通って流出する空気フローを生成するよう構成される。
【００９６】
本態様は、ガイドデバイス１０の内側の、特に、第１の本体１３と第２の本体１４との間の間隙１７の汚染物質のアクセスを妨ける。
【００９７】
可能な実施形態によれば、可変な磁場を生成するための手段１９は、動作値内の温度をもたらして維持するように、手段１９および／または少なくとも１つの第２の本体１４を冷却するよう構成される冷却部２３に結合されることができる。
【００９８】
可能な実施形態によれば、ガイドデバイス１０は、第１の本体１３を間に挟む少なくとも２つの第２の本体１４を備えてよい。
【００９９】
可能な実施形態によれば、少なくとも２つの第２の本体１４のそれぞれには、それぞれの可変な磁場を生成するためのそれぞれの手段１９が設けられる。
【０１００】
本態様は、第１の本体１３を間に挟む２つの第２の本体１４の組み合わせ作用が第１の本体１３の推力のより高い安定性および均一性を提供するという点で特に有利である。
【０１０１】
可能な実施形態によれば、磁石１８は、直線方向Ｘに沿って第１の本体１３の長辺２０の両側に配置される一方、手段１９は、第１の本体１３の長辺２０のそれぞれの面に面する２つの第２の本体１４上に配置される。
【０１０２】
磁場を生成するための手段１９の、磁石１８に対する組み合わせ作用は、第１の本体１３を正しい位置に維持することを可能にし、スペーサアセンブリ１６により支持される負荷を著しく低減する。
【０１０３】
本解決策は、第１の本体１３の移動をさらに速く加速させることを可能にし、さらに、可変な磁場を生成するための手段１９が設けられる単一の第２の本体１４で得られる同じ推力で個々に考慮される第２の本体１４上の負荷を低減することを可能にする。
【０１０４】
本考案に係る、衛生用品を製造するための装置のガイドデバイス１０は、３０センチよりも大きいストロークで、全速力で２３０ｍ／ｓ２よりも高い加速度で第１の本体１３の移動速度を１２ｍ／ｓまで達させることができる。
【０１０５】
本考案は、ガイドデバイス１０自体および／または他のデバイスに供給するために用いられることができる高エネルギーの生成を可能にすることで大きな利点を有する。
【０１０６】
加速度および減速度が約１００〜１５０ｍ／ｓ２に達することができるという先行技術とは異なり、スペーサアセンブリ１６および磁性移動アセンブリ１５の組み合わせた相乗作用は、加速度および減速度が２５０〜３５０ｍ／ｓ２まで達することを可能にする。
【０１０７】
磁石１８の手段１９に対する相対速度の変化、特に、減速段階では、具体的な要求に応じてネットワークおよび／または他の構成要素に向かって搬送されることができる手段１９において電流の生成を可能にする。
【０１０８】
可能な実施形態によれば、磁石１８が配置されている第１の本体１３の減速段階中に生成される電気エネルギーは、スペーサアセンブリ１６および／または磁気電力供給アセンブリ１５に供給するために用いられることができる。このことは、ガイドデバイス１０が少なくとも部分的に自己電力供給することを可能にする。
【０１０９】
可能な実施形態によれば、第１の本体１３および第２の本体１４のそれぞれの、直線方向Ｘに沿う長さの比率は、１より大きいか、またはそれに等しいものとし得る。
【０１１０】
可能な実施形態によれば、第１の本体１３および第２の本体１４のそれぞれの、直線方向Ｘに沿う長さの比率は、１から３であり得る。
【０１１１】
可能な実施形態によれば、第１の本体１３および第２の本体１４のそれぞれの、直線方向Ｘに沿う長さの比率は、１．５から２．５であり得る。
【０１１２】
第１の本体１３と少なくとも１つの第２の本体１４との間のこれらの幾何学的関係は、かさばりとエネルギー転送効率との間の関係のバランスを取り、最適化するように、設定されている。
【０１１３】
これらの識別される幾何学的比率は、少なくとも１つの第２の本体１４の可変な磁場を生成するために用いられる手段１９により生成される磁場全体が、第１の本体１３を移動させることを可能にする。
【０１１４】
事実上、手段１９の、少なくとも１つの第２の本体１４に対する作用のエリアは、そのより大きい部分に対して、またはその全体に対して、磁石１８が配置される第１の本体１３のエリアに面するようである。
【０１１５】
このことは、これらの手段により生成される磁気エネルギーが第１の本体１３へ転送されるので、可変な磁場を生成するための手段１９の高電磁損失ことなく、第１の本体１３が移動されることを可能にする。
【０１１６】
可能な実施形態と一致して、ガイドデバイス１０は、第１の本体１３に接続され、糸１１を搬送するようにツールを接続するよう構成される支持部材２４を備えてよく、支持部材は、少なくとも部分的に少なくとも１つの第２の本体１４から出て延伸する。
【０１１７】
本態様は、磁性移動部１５およびスペーサアセンブリ１６の両方から遠く離れる領域に糸１１を配置してガイドすることを可能にする。これは、糸１１、ツール、および支持部材２４が磁場によりまたはスペーサアセンブリ１６の作用により影響を受けないという点で有利である。
【０１１８】
可能な実施形態によれば、支持部材２４および／またはツールは、複数の糸１１を同時に搬送してガイドすることができる。
【０１１９】
可能な実施形態によれば、支持部材２４は、例えば、ペグ、圧接ジョイント、または同様のものなどの適した締付要素を用いて第１の本体１３の短辺２１に固定されることができる。可能な実施形態によれば、支持部材２４は、第１の本体１３と一体にされることができる。
【０１２０】
可能な実施形態によれば、ガイドデバイス１０は、第１の本体１３と、少なくとも１つの第２の本体１４と、スペーサアセンブリ１６と、磁性移動アセンブリ１５とを含むよう構成される筐体２５を備えてよい。
【０１２１】
汚染への露出を制限し、ガイドデバイス１０が操作者にとって安全となるために、筐体２５には、支持部材２４の少なくとも一部が沿って出てきてスライドするスロット２６が設けられる。
【０１２２】
可能な実施形態によれば、筐体２５は、取り外し可能方式で互いに接続されることができる複数のシェルを備えてよい。
【０１２３】
可能な実施形態によれば、空気で、または任意の他の気体で、ならびに冷却流体で電気接続または流体接続に割り当てられるコネクタ３０は、直線方向Ｘに対して横に配置される筐体２５の側面上に配置されることができる。
【０１２４】
可能な実施形態によれば、スペーサアセンブリ１６は、少なくとも１つの第２の本体１４から第１の本体１３を局所的に離隔させるために、それぞれの磁力を生成するよう構成されるそれぞれの磁場をそれぞれが生成するよう構成される複数の磁性スペーサ要素３１、１３１を備えてよい。
【０１２５】
本態様は、所望の方式で少なくとも１つの第２の本体１４から第１の本体１３を離隔させること、または多様性が要求されたとき、ガイドデバイス１０を複数の条件および設定に用いられるために可撓性のあるものにすることを可能にする。
【０１２６】
可能な実施形態によれば、ガイドデバイス１０は、第１の本体１３と単一の第２の本体１４とを備えてよい。例えば、第１の本体１３は、賦形バー、または反転したＵ字型の断面を有する賦形バーであり得る。
【０１２７】
可能な実施形態によれば、ガイドデバイス１０の第２の本体１４ごとに、スペーサアセンブリ１６は、直線方向Ｘに対して垂直な第１の方向に沿ってそれぞれの第２の本体１４から第１の本体１３を離間させるように作用する少なくとも１つの磁性スペーサ要素３１と、直線方向Ｘに垂直な第２の方向に沿ってそれぞれの第２の本体１４から第１の本体１３を離間させるように作用する少なくとも１つの他の磁性スペーサ要素１３１とを備えてよい。
【０１２８】
可能な実施形態によれば、第１および第２の垂直な方向は、互いに垂直である。
【０１２９】
例えば、第１の本体１３がＬ字型断面を有する賦形バーであり、かつ、２つの第２の本体１４が存在する場合、スペーサアセンブリ１６は、磁性移動アセンブリ１５に影響される第１の本体１３の表面３２、または可変な磁場を生成するための手段１９に面する表面３２、というより、磁石１８が配置される表面３２に垂直な第１の方向に沿って２つの第２の本体１４から長辺２０を離間させるよう構成される少なくとも１対の磁性スペーサ要素３１を備えてよい。
【０１３０】
可能な実施形態によれば、スペーサアセンブリ１６は、第１の垂直方向に垂直な第２の方向に沿って２つの第２の本体１４から短辺２１を離間させるよう構成される１ 対の磁性スペーサ要素１３１を備えてよい。
【０１３１】
本態様は、第１の本体１３が安定化され、直線方向Ｘに垂直な両方向に沿って第２の本体１４からある距離で維持されることを可能にする。
【０１３２】
２つの第２の本体１４の間に含まれる第１の本体１３の例示されているケースに関する考慮は、第１の本体１３の、第２の本体１４の、ならびにそれらにおそらく関連付けられる要素の幾何特性および／または相対位置を好適に適応させることにより、単一の第２の本体１４の場合に拡大解釈できることが理解される。
【０１３３】
可能な実施形態によれば、磁性スペーサ要素３１、１３１は、磁石および／または磁場を生成するための手段を含んでよく、磁性移動アセンブリ１５の側面上に位置する。
【０１３４】
この方法において、磁性スペーサ要素３１、１３１により生成される磁場は、磁性移動アセンブリ１５により生成される磁場の作用を妨げない。
【０１３５】
例えば、磁性スペーサ要素３１、１３１は、少なくとも１つの第２の本体１４に対して第１の本体１３を移動させる代わりに、少なくとも１つの第２の本体１４から第１の本体１３を離隔するという目的で、磁性移動アセンブリ１５に類似する方式で実質的に構成されることができる。
【０１３６】
可能な実施形態によれば、磁性スペーサ要素３１、１３１は、長辺２０または短辺２１の何れかに位置することができる。
【０１３７】
可能な実施形態によれば、磁性スペーサ要素３１、１３１は、磁性移動アセンブリ１５の側面に配置されることができ、これにより、磁性スペーサ要素３１、１３１により生成される磁場は、磁性移動アセンブリ１５により生成される磁場の作用を妨げない。
【０１３８】
可能な実施形態によれば、磁性スペーサ要素３１は、磁石１８が間に配置される第１の本体１３の側部２８に面することができる。
【０１３９】
本態様は、少なくとも１つの第２の本体１４に対して第１の本体１３の配置の安定化、および、磁性スペーサ要素３１の作用に対して磁性移動アセンブリ１５の作用のエリアエリアの分離の両方を可能にする。
【０１４０】
磁性移動アセンブリ１５の側面において少なくとも１つの第２の本体１４上の磁性スペーサ要素３１の存在は、スペーサアセンブリ１６と磁気駆動アセンブリ１５との間の不要な干渉が生じることなく、操作の連続性を保証しつつ、構成の安定した画定された平面上の第１の本体１３の配置を可能にする。
【０１４１】
可能な実施形態によれば、側部２８には、第１の本体と第２の本体との間で接触が存在する場合、少なくとも１つの第２の本体１４上での第１の本体１３との間の摩擦を低減するよう構成される耐摩擦材を含むトラックを設けることができる。例えば、トラックは、ターカイト（登録商標）と呼ばれる材料、または他の同様の材料を含んでよい。
【０１４２】
可能な実施形態によれば、スペーサアセンブリ１６は、間隙１７における汚染物質のアクセスおよび／または堆積を妨げるように、空気を送るよう構成される少なくとも１つの空気ディスペンサ２９を備えてよい。
【０１４３】
可能な実施形態によれば、１または複数の空気ディスペンサ２９は、磁性スペーサ要素３１、１３１の間に配置され、またはこれらの要素と一体化されることができる。
【０１４４】
本態様は、適した空気ディスペンサを用いて間隙１７から汚染物質を除去することを可能にする。例えば、磁性移動アセンブリ１５の使用中、空気ディスペンサを連続的に、断続的に、または必要に応じて、操作することが可能です。さらに、空気ディスペンサ２９は、磁性移動アセンブリ１５を冷却するために用いられることもできる。
【０１４５】
可能な実施形態によれば、本考案はまた、衛生用品の製造を意図された生地１２上に糸１１を加えるための、説明されている実施形態のうち任意の１ つにおいて説明されているような衛生用品を製造するための装置のガイドデバイス１０を用いる方法に関する。
【０１４６】
本考案の１つの態様によれば、方法は、糸１１を直線方向Ｘに沿って移動可能な第１の本体１３に関連付ける段階と、磁力を用いて第１の本体１３に対して固定される少なくとも１つの第２の本体１４から第１の本体１３を離間させる段階と、生地１２上に糸１１を加えるべく、糸１１をガイドするように磁力により直線方向Ｘに沿って第１の本体１３を移動させる段階とを備える。
【０１４７】
可能な実施形態によれば、第１の本体１３の移動は、第１の本体１３上に配置される複数の磁石１８と、少なくとも１つの第２の本体１４上に配置される、可変な磁場を生成するための手段１９とを含む磁性移動アセンブリ１５を用いることによって得られることができる。
【０１４８】
可能な実施形態によれば、第１の本体１３を直線方向Ｘに沿って移動させる別の磁力、および、少なくとも１つの第２の本体１４から第１の本体１３を離隔させる磁力は、単一のソースにより生成されることができ、というより、磁性移動アセンブリ１５により生成されることができる。
【０１４９】
可能な実施形態によれば、方法は、第１の本体１３が減速しつつ、電磁誘導により電気エネルギーを生成する段階を備える。
【０１５０】
本態様は、例えば、スペーサアセンブリ１６、および／または他のデバイスおよび／または装置などのガイドデバイス１０の一部に供給するために用いられることができる電気エネルギーを生成することを可能にする。
【０１５１】
可能な実施形態によれば、方法は、直線方向Ｘに沿って第１の本体１３の位置を画定する所望のタイムテイブルを、時間に関係して、かつ、設定されたタイムテイブルに従って、第１の本体１３を移動させるために設定する段階を備えてよい。
【０１５２】
可能な実施形態によれば、方法は、糸１１の弾性、および直線方向Ｘに沿う第１の本体１３の瞬時位置に関係して、第１の本体１３の移動を調節する段階を備えてよい。
【０１５３】
これまで説明されている衛生用品を製造するための装置のガイドデバイス１０に対する修正、および衛生用品を製造することを意図された生地１２上に糸１１を加えるための方法に対する修正は、本考案の範囲からそれにより逸脱することなく、施されること、および／または部分的に追加されることができることが明らかである。
【０１５４】
本考案がいくつの具体的な例を参照して説明されているが、当業者は、実用新案登録請求の範囲に記載され、したがって、それらにおいて画定されている保護範囲内に全てが含まれる特性を有する衛生用品を製造するための装置のガイドデバイス１０および方法の多くの他の均等な形態を製造することが確実にできるであろうということも明らかである。
【０１５５】
以下の実用新案登録請求の範囲において、括弧内の参照番号は、容易に解釈するという唯一の目的を有し、具体的な実用新案登録請求の範囲下の保護範囲に関する限定要因として考慮されるべきではない。
【図１】
0003222684.tif 000003
【図２ａ】
0003222684.tif 000004
【図２ｂ】
0003222684.tif 000005
【図３】
0003222684.tif 000006
【図４】
0003222684.tif 000007
【図５】
0003222684.tif 000008